(57)【特許請求の範囲】
【請求項１】
予め設定された単位流量で液体を送る配管に設けられるポンプユニットにおいて、
ｎ台を直列に配列して前記液体をそれぞれで昇圧することで前記単位流量を満たすように設定されるポンプであって、ｎ＋１台が直列に配列される前記ポンプと、
前記ｎ＋１台のポンプの下流に設置され、前記流体が前記ｎ＋１台のポンプのうちｎ台のポンプにより昇圧された場合、前記流体に第１の抵抗をかけて前記流体を前記単位流量で送り、前記流体が前記ｎ＋１台のポンプにより昇圧された場合、前記流体に前記第１の抵抗よりも大きな第２の抵抗をかけて前記流体を前記単位流量で送る定流量弁と
を具備することを特徴とするポンプユニット。
【請求項２】
前記ｎ＋１台のポンプそれぞれは、配電盤から制御盤を介して給電され、
前記制御盤は、前記ｎ＋１台のポンプの少なくともいずれかに異常が発生した場合、異常が発生したポンプへの給電を停止することを特徴とする請求項１記載のポンプユニット。
【請求項３】
前記ｎ台は２台であることを特徴とする請求項１又は２に記載のポンプユニット。
【発明の詳細な説明】
【技術分野】
【０００１】
本発明の実施形態は、配管に予め設定された流量の液体を送るポンプユニットに関する。
【背景技術】
【０００２】
ポンプ２台を直列接続することで、必要とされる単位流量を発生させるポンプユニットが水冷装置で用いられることがある。この種のポンプユニットでは、流量調整弁の開度を手動で微調整することにより、流量が必要とされる単位流量を達成するようにしている。
【０００３】
ところで、この種のポンプユニットでは、一方のポンプが故障すると、他方のポンプにて発生できる流量が必要とされる単位流量以下となってしまう。そこで、ポンプの冗長性を確保するためには、同様の構成のポンプユニットを冗長系統として設ける必要がある。現用系統のポンプが故障した際には、冗長系統のポンプユニットへ切り替えることにより、後段へ送られる液体の流量が減少することを避けるようにしている。
【０００４】
しかしながら、現用系及び冗長系のポンプユニットを設置しようとすると、必要台数の２倍の数のポンプと、現用系及び冗長系間の切り替えを制御するための電子回路等とが必要となり、装置の大型化及び高コスト化の要因となる。
【先行技術文献】
【特許文献】
【０００５】
【特許文献１】特開２００５−３１５２５５号公報
【発明の概要】
【発明が解決しようとする課題】
【０００６】
以上のように、従来のポンプユニットを用いる水冷装置において、冗長性を確保するためには、同様の構成の２台のポンプユニットに加え、現用系と冗長系とを自動に切り替えるための電子回路が必要であり、水冷装置の大型化及び高コスト化の要因となっていた。
【０００７】
そこで、目的は、複数のポンプユニットを用いなくても冗長性を確保することが可能なポンプユニットを提供することにある。
【課題を解決するための手段】
【０００８】
実施形態によれば、予め設定された単位流量で液体を送る配管に設けられるポンプユニットは、ｎ＋１台のポンプ及び定流量弁を具備する。ポンプは、ｎ台を直列に配列して前記液体をそれぞれで昇圧することで前記単位流量を満たすように設定され、ｎ＋１台が直列に配列される。定流量弁は、前記ｎ＋１台のポンプの下流に設置され、前記流体が前記ｎ＋１台のポンプのうちｎ台のポンプにより昇圧された場合、前記流体に第１の抵抗をかけて前記流体を前記単位流量で送る。また、定流量弁は、前記流体が前記ｎ＋１台のポンプにより昇圧された場合、前記流体に前記第１の抵抗よりも大きな第２の抵抗をかけて前記流体を前記単位流量で送る。
【図面の簡単な説明】
【０００９】
【図１】本実施形態に係るポンプユニットの構成を示す図である。
【発明を実施するための形態】
【００１０】
以下、実施の形態について、図面を参照して説明する。図１は、本実施形態に係るポンプユニットの構成を示す図である。なお、図１に示すポンプユニットは、例えば、水冷装置に利用されるものであり、以下では、冷却水を送水する場合を例に説明する。
【００１１】
図１に示すポンプユニットは、ポンプ１０−１〜１０−３、定流量弁２０、ボールバルブ３０−１〜３０−９及び制御盤４０がポンプラックに搭載されてなる。ここで、ポンプユニットが送水する必要のある冷却水の単位流量は予め設定されている。
【００１２】
ポンプ１０−１〜１０−３は、ポンプラックにそれぞれが直列に配列されるように取り付けられる。ポンプ１０−１〜１０−３は、制御盤４０に接続され、制御盤４０を介して配電盤５０から電流が供給される。
【００１３】
ポンプ１０−１〜１０−３は、供給される冷却水を昇圧して送水する。ポンプ１０−１〜１０−３は、ポンプ１０−１〜１０−３のうちいずれか２台のポンプが直列に配列されて冷却水を昇圧すると、必要とされている単位流量をある程度の余裕をもって上回るように設定されている。
【００１４】
定流量弁２０は、ポンプ１０−１〜１０−３のうち少なくとも２台のポンプが直列して昇圧した冷却水を受ける。定流量弁２０は、給水される冷却水の水圧に応じて、開度が自動的に調整される構造となっている。
【００１５】
通常時において、ポンプ１０−１〜１０−３は同時に運転されるため、３台同時運転のままでは、要求されている単位流量に対して過大流量となる。このため、定流量弁２０は、水圧に応じて開度を調整することでポンプ１０−１〜１０−３から供給される冷却水に抵抗を与え、ポンプ１０−１〜１０−３で昇圧された冷却水の流量を、要求される単位流量に調整する。
【００１６】
ポンプ１０−１〜１０−３のうちいずれか１台のポンプが故障等した場合は、残りの２台のポンプが運転を継続する。このとき、定流量弁２０は、３台のポンプを運転させていた時に発生させていた抵抗を、水圧に応じて開度を調整することで減少させ、ポンプ１０−１〜１０−３のうち、２台のポンプで昇圧された冷却水の流量を、要求される単位流量に調整する。
【００１７】
ボールバルブ３０−１〜３０−９は、ポンプ１０−１〜１０−３それぞれへ流入される冷却水を、バイパス通路へ流入させるためのものである。例えば、ポンプ１０−１に異常が発生してポンプ１０−１を交換する必要がある場合、ポンプ１０−１の交換者は、ボールバルブ３０−２を開放し、ボールバルブ３０−１，３０−３を閉める。これにより、ポンプ１０−１に流入していた冷却水はバイパス通路へ流入されることとなり、交換者はポンプ１０−１を交換することが可能となる。
【００１８】
制御盤４０は、電磁開閉器４１−１〜４１−３及び配線用遮断器４２−１〜４２−３を備える。配電盤５０から供給される電流は、配線用遮断器４２−１及び電磁開閉器４１−１を介してポンプ１０−１へ供給され、配線用遮断器４２−２及び電磁開閉器４１−２を介してポンプ１０−２へ供給され、配線用遮断器４２−３及び電磁開閉器４１−３を介してポンプ１０−３へ供給される。
【００１９】
電磁開閉器４１−１〜４１−３は、例えばサーマルリレーを備え、サーマルリレーにより電路に異常発熱の発生を検知する。異常発熱の発生を検知した場合、電磁開閉器４１−１〜４１−３のうち検知した電磁開閉器は、接続するポンプに過負荷がかかっている、つまり、接続するポンプに過電流が供給されていると判断し、接続するポンプへの給電を停止する。すなわち、電磁開閉器４１−１〜４１−３は、ポンプ１０−１〜１０−３における異常の発生を検知し、異常が発生したポンプへの給電を停止する。
【００２０】
配線用遮断器４２−１〜４２−３は、ポンプ１０−１〜１０−３を交換する際に、交換者がポンプ１０−１〜１０−３への給電を手動で遮断するためのものである。交換者は、交換対象となるポンプへの給電を配線用遮断器により遮断したのち、ポンプを交換する。
【００２１】
以上のように、本実施形態では、ポンプユニットは、要求される単位流量が直列に配列した２台のポンプにより実現可能な際に、直列に配列した３台のポンプ１０−１〜１０−３と、定流量弁２０とを備えるようにしている。これにより、ポンプユニットは、ポンプ１０−１〜１０−３が３台とも正常である場合は、定流量弁２０で流量を制限することで、要求される単位流量の冷却水を後段へ送水することが可能となる。また、ポンプユニットは、１台のポンプが故障した場合であっても、正常な２台のポンプを用いて要求される単位流量の冷却水を後段へ送水することが可能となる。
【００２２】
したがって、本実施形態に係るポンプユニットによれば、複数のポンプユニットを用いなくても、ポンプの台数を最小限に抑えつつ、冗長性を確保することができる。
【００２３】
また、単一のポンプユニットにより冗長性を確保することが可能となるため、使用するポンプの数を抑えることが可能となる。また、異常発生時に冗長系のポンプユニットへ切り替える必要もないため、切替制御のための電子回路も不要となる。したがって、本実施形態に係るポンプユニットは、水冷装置の大型化及び高コスト化を抑えることができる。
【００２４】
また、本実施形態では、ポンプユニットは、制御盤４０をポンプ１０−１〜１０−３の電路に設置するようにしている。これにより、ポンプ１０−１〜１０−３に異常が発生した場合であっても、自動的にポンプ１０−１〜１０−３の動作を停止させることが可能となる。
【００２５】
なお、本実施形態では、ポンプユニットがポンプ１０−１〜１０−３を備える場合を例に説明したが、これに限定される訳ではない。例えば、要求される単位流量が直列に配列したｎ台のポンプにより実現可能な場合においては、ポンプユニットは、ｎ＋１台のポンプを備えるようにしてもかまわない。
【００２６】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００２７】
１０−１〜１０−３…ポンプ、２０…定流量弁、３０−１〜３０−９…ボールバルブ、４０…制御盤、４１−１〜４１−３…電磁開閉器、４２−１〜４２−３…配線用遮断器、５０…配電盤
【図１】
0005524285.tif 000002